(57)【要約】      （修正有）【課題】導線を隠すことが可能な、パネルに装着されるソケットパネルを提供する。【解決手段】本ソケットパネルは、開口部が形成されたパネルと、前記パネルの開口部内に配置されるコネクタ１０と、複数の導線３０とを備える。前記コネクタは、絶縁性本体１と、該絶縁性本体に固着されると共に収納穴を有するハウジング３と、前記絶縁性本体に装着され、前記導線と接続する複数の導電端子とを有する。前記導電端子は、前記収納穴に収納される接触部と、前記導線と接続する尾部とを有する。【選択図】図２
0003170939.tif 000002
【実用新案登録請求の範囲】
【請求項１】
開口部が形成されたパネルと、
前記パネルの開口部内に配置されるコネクタと、
複数の導線と、を備え、
前記コネクタが、絶縁性本体と、前記絶縁性本体に固着されると共に収納穴を有するハウジングと、前記絶縁性本体に装着され、前記導線と接続する複数の導電端子と、を有し、前記導電端子が、前記収納穴に収納される接触部と、前記導線と接続する尾部と、を有することを特徴とするソケットパネル。
【請求項２】
前記コネクタは、Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）ソケットコネクタ、或いはＨＤＭｉ（Ｈｉｇｈ  Ｄｅｆｉｎｉｔｉｏｎ  Ｍｕｌｔｉｍｅｄｉａ  Ｉｎｔｅｒｆａｃｅ）ソケットコネクタ、或いはＤｉｓｐｌａｙ  Ｐｏｒｔソケットコネクタであることを特徴とする請求項１に記載のソケットパネル。
【請求項３】
前記絶縁性本体は、基部と、前記基部から突出して前記ハウジングの収納穴に収納される舌板と、を有し、前記複数の導電端子の接触部が、前記舌板に沿って平行して一列に配置され、前記複数の導電端子の尾部が、前記絶縁性本体から延出していると共に二つの列に分けて配置されることを特徴とする請求項１又は２に記載のソケットパネル。
【請求項４】
前記複数の導線はそれぞれ、前記導電端子の尾部と接続する接続部と、延在部と、前記接続部と延在部との間に設けられる連接部と、を有し、前記複数の導線の延在部が平行して一列に配置され、前記複数の導線の連接部が、Ｕ字状に形成された一方の列及び逆向のＵ字状に形成された他方の列に分けて配置されることを特徴とする請求項１から３の何れか一項に記載のソケットパネル。
【請求項５】
前記導電端子の尾部には一対の挟み部が設けられ、前記一対の挟み部の間には挟み溝が形成され、前記導線の接続部が前記挟み溝に挟まれることを特徴とする請求項４に記載のソケットパネル。
【請求項６】
前記ソケットパネルは前記絶縁性本体に固着される位置決め部材を備え、前記導線の連接部が前記絶縁性本体と前記位置決め部材との間に挟まれることによって、前記導線は前記コネクタと前記位置決め部材との間に固着されることを特徴とする請求項４又は５に記載のソケットパネル。
【請求項７】
前記位置決め部材には、前記導線の連接部を収納するための二つの列の凹溝が形成され、前記絶縁性本体には、前記凹溝に嵌合される突起部が設けられ、前記導線の連接部が、前記突起部によって、前記凹溝に押圧されることを特徴とする請求項６に記載のソケットパネル。
【請求項８】
前記位置決め部材には、前記二つの列の凹溝の間に位置し、前記導電端子の挟み溝に収納可能な複数のリブが設けられ、前記導線の接続部が、前記リブによって前記挟み溝に押圧されることを特徴とする請求項７に記載のソケットパネル。
【請求項９】
前記絶縁性本体には、前記ハウジングの両側に形成される一対の係合溝が形成され、前記位置決め部材の両側には、前記係合溝に挿入して前記絶縁性本体と係合する一対の係合ビームが設けられることを特徴とする請求項６から８の何れか一項に記載のソケットパネル。
【請求項１０】
前記絶縁性本体が前記パネルの裏面側に位置し、前記絶縁性本体の両側には一対の固定孔が形成され、
前記一対の固定孔に挿入して前記コネクタを前記パネルに固着するための一対のピンを有することを特徴とする請求項１から９の何れか一項に記載のソケットパネル。
【考案の詳細な説明】
【技術分野】
【０００１】
本考案は、ソケットパネルに関し、特に、コネクタをパネルに固着するためのソケットパネルに関するものである。
【背景技術】
【０００２】
ＨＤＭＩ，ＤｉｓｐｌａｙＰｏｒｔ，Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）のようなＤｉｇｉｔａｌポートが電子部品に用いられる。これらのＤｉｇｉｔａｌポートのコネクタは、壁の外側に装着される。これらのＤｉｇｉｔａｌポートのコネクタの導線は、壁の外表面に配置される。
【先行技術文献】
【特許文献】
【０００３】
【特許文献１】台湾特許第Ｍ３６２５４８号明細書
【考案の概要】
【考案が解決しようとする課題】
【０００４】
そこで本考案は、上述される従来技術の問題に鑑み、導線を隠すことが可能な、パネルに装着されるソケットパネルを提供することを目的とする。
【課題を解決するための手段】
【０００５】
前記目的を達成するために、本考案のソケットパネルは、開口部が形成されたパネルと、前記パネルの開口部内に配置されるコネクタと、複数の導線と、を備える。前記コネクタは、絶縁性本体と、前記絶縁性本体に固着されると共に収納穴を有するハウジングと、前記絶縁性本体に装着され、前記導線と接続する複数の導電端子と、を有する。前記導電端子は、前記収納穴に収納される接触部と、前記導線と接続する尾部と、を有する。
【考案の効果】
【０００６】
従来技術と比べると、本考案は、コネクタの導線を壁に隠すことできるという効果を奏する。
【図面の簡単な説明】
【０００７】
【図１】本考案のソケットパネルの組立斜視図である。
【図２】図１に示すパネルが外されたソケットパネルの組立斜視図である。
【図３】図２に示すパネルが外されたソケットパネルのうちの一部分を分解した分解斜視図である。
【図４】図２に示すパネルが外されたソケットパネルのうちの一部分を分解した別の視点からの分解斜視図である。
【図５】図２に示すパネルが外されたソケットパネルの分解斜視図である。
【図６】図２に示すパネルが外されたソケットパネルの別の視点からの分解斜視図である。
【図７】図２のVII―VII線に沿って切断し、パネルが外されたソケットパネルの断面図である。
【考案を実施するための形態】
【０００８】
図１及び図２を参照すると、本考案のソケットパネル１００は、開口部２０１が形成されたパネル２０と、前記開口部２０１内に装入されるコネクタ１０と、前記コネクタ１０と接続するための導線３０と、前記導線３０を位置決めするための位置決め部材４０と、コネクタ１０をパネル２０に固着させるためのピン５０とを備える。
【０００９】
図２〜図７に示すように、前記コネクタ１０は、この実施形態において、Ｄｉｉｖａソケットコネクタである。コネクタ１０は、他の実施形態において、ＨＤＭｉ（Ｈｉｇｈ  Ｄｅｆｉｎｉｔｉｏｎ  Ｍｕｌｔｉｍｅｄｉａ  Ｉｎｔｅｒｆａｃｅ）ソケットコネクタ、或いはＤｉｓｐｌａｙ  Ｐｏｒｔソケットコネクタである。
【００１０】
前記コネクタ１０は、パネル１０の裏面側（後方側）に配置される絶縁性本体１と、前記絶縁性本体１に固着される複数の導電端子２と、導電端子を防護するハウジング３と、を備える。前記絶縁性本体１は、基部１１と、前記基部１１の幅方向（長手方向）の中間部の前部から前向きに突出する突出部１２と、前記突出部１２から前向きに突出する舌板１３と、を備える。前記舌板１３には、複数の端子溝１３１が形成される。前記基部１１の前記中間部の前部には、後方に向かって窪む凹部１１６が形成される。前記突出部１２の下部には、上方（前後方向及び幅方向に直交する方向のうちの一方側）に向かって窪む凹所１２５が形成される。基部１１の前記中間部には、突出部１２の幅方向の両側に一対の係合溝１１２が形成される。基部１１の凹部１１６の幅方向の両側には、一対の固定孔１１３が形成される。基部１１は、複数の固定溝１１５と、前記基部１１の後部から後向きに突出する複数の突起部１１４とを有する。
【００１１】
前記導電端子２はそれぞれ、接触部２１と、接触部２１の後端から延在する挿入部２２と、前記挿入部２２の後端から延在する一対の尾部２３と、を有する。複数の導電端子２の接触部２１は、平行して一列に配置される。複数の導電端子２の尾部２３は、上列と下列とに分けて二列に配置されていると共に上列及び下列のそれぞれにおいて平行に配列されている。各尾部２３は、横方向に沿って配置される一対の挟み部２３１と、前記一対の挟み部２３１の間に形成される挟み溝２３２と、を有する。各挟み溝２３２には、外へ張出する導入溝２３３が形成される。
【００１２】
ハウジング３は、底壁３１と、前記底壁３１と対向する天壁３２と、一対の側壁３３と、前記壁３１−３３によって包囲される収納穴３４と、を有する。前記底壁３１と天壁３２には、複数の弾性片３５と、相手コネクタの突起部（図示せず）と係合するための複数の開口３６とが設けられている。
【００１３】
複数の導線３０は、互い違いに配置される複数の第１線３０４及び複数の第２線３０５を有する。複数の導線３０は、平行して一列に配置される延在部３０３と、前記延在部３０３の前端から上向き又は下向きに折り曲げられて上列と下列とに分けて二列に配置されると共に上列及び下列のそれぞれにおいて平行に配列された連接部３０２と、連接部３０２の端部に設けられた接続部３０１と、を有する。第１線３０４の連接部３０２は、Ｕ字状に形成され、第１線３０４の接続部３０１は、上向きに延在する。第２線３０５の連接部３０２は、逆向きのＵ字状に形成され、第２線３０５の接続部３０１は、下向きに延在する。
【００１４】
位置決め部材４０は、幅方向に間欠的に配設されていると共に上列と下列とに分けて二列に形成された凹溝４０１と、二つの列の凹溝４０１の間に配置される複数のリブ４０２と、幅方向の両側から前方に向けて突出する一対の係合ビーム４０３と、を有する。
【００１５】
図１〜図７に示すように、ソケットパネル１００を取り付ける時、先ず、複数の導電端子２を絶縁性本体１の固定溝１１５に挿入させる。導電端子２の接触部２１は、舌板１３の端子溝１３１に収納され、尾部２３が前記絶縁性本体１から後方に向かって延出する。次に、ハウジング３を、突出部１２に装着して、ハウジング３内に舌板１３を収容させる。一方、前記導線３０を、前記位置決め部材４０に装着させる。導線３０の連接部３０２は位置決め部材４０の凹溝４０１に挿入され、リブ４０２に保持される。そして、前記した位置決め部材４０を絶縁性本体１に取り付ける。位置決め部材４０の一対の係合ビーム４０３は、絶縁性本体１の一対の係合溝１１２に挿入され、基部１１と係合する。また、前記突起部１１４は前記凹溝４０１に嵌合される。前記導線３０の連接部３０２は、前記突起部１１４によって、前記凹溝４０１に押圧される。前記位置決め部材４０のリブ４０２は、導電端子２の対応する挟み溝２３２に嵌合される。前記導線３０の接続部３０１は、前記導入溝２３３に導入され、前記リブ４０２の押圧によって、前記挟み溝２３２に押圧される。これにより、導線３０の接続部３０１が、導電端子２の尾部２３と安定して接続する。
【００１６】
コネクタ１０がパネル２０に取り付けられる時、前記ピン５０は、前記一対の固定孔１１３に挿入して、前記コネクタ１０を前記パネル２０に固着する。コネクタ１０は、壁に取り付けられる時、導線３０を壁に隠すことができる。
【００１７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１８】
１００  ソケットパネル
１０  コネクタ
１  絶縁性本体
１１  基部
１１２  係合溝
１１３  固定孔
１１４  突起部
１１５  固定溝
１１６  凹部
１２  突出部
１２５  凹所
１３  舌板
１３１  端子溝  
２０  パネル
２０１  開口部
２  導電端子
２１  接触部
２２  挿入部
２３  尾部
２３１  挟み部
２３２  挟み溝
２３３  ガイド溝
３０  導線
３０１  接続部
３０２  連接部
３０３  延在部
３０４  第１線
３０５  第２線
３  ハウジング
３１  底壁
３１０  凹部
３２  天壁
３３  側壁
３４  収納穴
３５  弾性片
３６  開口
４０  位置決め部材
４０１  凹溝
４０２  リブ
４０３  係合ビーム
５０  ピン
【図１】
0003170939.tif 000003
【図２】
0003170939.tif 000004
【図３】
0003170939.tif 000005
【図４】
0003170939.tif 000006
【図５】
0003170939.tif 000007
【図６】
0003170939.tif 000008
【図７】
0003170939.tif 000009